(57)【特許請求の範囲】
【請求項１】
太陽電池パネルを支持する支持部と、
導電性を有する板状部材であって、前記太陽電池パネルおよび前記支持部との間に配置される導通部と、
が設けられた太陽電池パネルの取付構造であって、
前記支持部における前記太陽電池パネルを支持する面には、前記太陽電池パネルまたは前記導通部と接触する接触部、および、前記太陽電池パネルまたは前記導通部と離間する非接触部が設けられ、
前記導通部には、前記太陽電池パネルに向かって突出し、前記太陽電池パネルを傷つけて前記太陽電池パネルとの間の導通を図る第１突起部、および、前記支持部に向かって突出し、前記支持部を傷つけて前記支持部との間の導通を図る第２突起部が設けられ、
前記第１突起部は、前記導通部が前記太陽電池パネルおよび前記支持部との間に配置された際に、前記非接触部と対向する位置に設けられていることを特徴とする太陽電池パネルの取付構造。
【請求項２】
前記第１突起部は、前記導通部の一部を前記太陽電池パネルに向かって折り曲げて形成されたものであることを特徴とする請求項１記載の太陽電池パネルの取付構造。
【請求項３】
前記第１突起部は、前記導通部から折り曲げられる角度である折り曲げ角度が４５°を超えて１３５°未満の範囲内であることを特徴とする請求項２記載の太陽電池パネルの取付構造。
【請求項４】
前記第１突起部は、前記導通部から折り曲げられる角度である折り曲げ角度が６０°を超えて１２０°未満の範囲内であることを特徴とする請求項２記載の太陽電池パネルの取付構造。
【請求項５】
前記第２突起部は、前記導通部の他の一部を前記支持部に向かって折り曲げて形成されたものであって、前記導通部から折り曲げられる角度である折り曲げ角度が４５°未満であり、
前記導通部が前記太陽電池パネルおよび前記支持部との間に配置された際に、前記第２突起部が前記接触部と対向する位置に設けられていることを特徴とする請求項１から４のいずれか１項に記載の太陽電池パネルの取付構造。
【請求項６】
前記支持部は棒状に形成された垂木であり、
前記垂木における前記非接触部は、前記支持部との間に前記太陽電池パネルを挟んで保持する押付部を前記垂木に固定する固定具の端部が係合されるとともに、前記垂木の長手方向に延び前記固定具が相対移動可能とされた溝部であることを特徴とする請求項１から５のいずれか１項に記載の太陽電池パネルの取付構造。
【請求項７】
前記導通部には、前記垂木における前記溝部が開口する前記太陽電池パネルと接する面と隣接する側面と対向して延びるガイド部が設けられていることを特徴とする請求項６記載の太陽電池パネルの取付構造。
【請求項８】
請求項１から７のいずれかに記載の太陽電池パネルの取付構造を用いた取付け方法であって、
前記第１突起部が前記非接触部と対向するように前記導通部を間に挟んで前記太陽光電池パネルを、前記支持部における前記太陽電池パネルを支持する面に配置する工程と、
前記太陽電池パネルを前記支持部に押し付けることにより、前記第１突起部を前記太陽電池パネルに押し付け、前記第２突起部を前記支持部に押し付ける工程と、
を有することを特徴とする太陽電池パネルの取付方法。
【発明の詳細な説明】
【技術分野】
【０００１】
本発明は、太陽電池パネルの取付構造、および太陽電池パネルの取付方法に関する。
【背景技術】
【０００２】
近年の環境保護意識の高まりによって太陽光発電システムの普及が進むに伴い、発電を行う太陽電池パネルの設置台数も大幅に増加している。太陽電池パネルは、架台の上に配列した状態で取り付けられることにより設置される。このように太陽電池パネルを架台に取り付ける方法としては種々の方法が提案されている（例えば、特許文献１参照。）。
【０００３】
また、太陽電池パネルを設置する際には、太陽電池パネルを接地させる必要がある。接地させる方法としては、接地専用の配線を太陽電池パネルに電気的に接続させる方法や、特許文献１に記載されているように、架台を構成する垂木と太陽電池パネルとを電気的に導通させる導電性を有する板部材を用いる方法などが知られている。
【先行技術文献】
【特許文献】
【０００４】
【特許文献１】特開２０１０−２６１２５７号公報
【発明の概要】
【発明が解決しようとする課題】
【０００５】
上述した特許文献１に開示された板部材には、斜めに折り曲げた突起部が設けられている。突起部は太陽電池パネル側に折り曲げられたものと、垂木側に折り曲げられたものとがある。この板部材を太陽電池パネルと垂木との間に挟み、両者を押し付けることにより、突起部は太陽電池パネルおよび垂木に傷を付けながら押しつぶされる。これにより、太陽電池パネルや垂木の表面に導電性の低い皮膜が形成されていても、板部材によって当該皮膜が剥ぎ取られ、板部材を介して太陽電池パネルと垂木との間の導電性を確保でき、接地を確保することができる。
【０００６】
しかしながら、太陽電池パネルを架台に取り付ける際には、１回の取付けで太陽電池パネルが垂木の上に固定される場合もあれば、太陽電池パネルの位置を調整する等の目的のために、太陽電池パネルを何回も垂木に固定し直す場合もある。このように何回も固定し直す場合、上述した特許文献１に開示された板部材では、太陽電池パネルの接地を確保できない可能性があるという問題があった。
【０００７】
つまり、特許文献１に開示された板部材は、上述のように、一度、太陽電池パネルと垂木との間に挟まれると、折り曲げられた突起部が押しつぶされてしまう。そのため、再度、太陽電池パネルと垂木との間に挟まれた際には、太陽電池パネルおよび垂木の表面に傷をつけることが難しくなる。言い換えると、太陽電池パネルの接地を確保することが難しくなる。
【０００８】
本発明は、上記の課題を解決するためになされたものであって、太陽電池パネルの接地をより行いやすくする太陽電池パネルの取付構造、および太陽電池パネルの取付方法を提供することを目的とする。
【課題を解決するための手段】
【０００９】
上記目的を達成するために、本発明は、以下の手段を提供する。
本発明の第１の態様に係る太陽電池パネルの取付構造は、太陽電池パネルを支持する支持部と、導電性を有する板状部材であって、前記太陽電池パネルおよび前記支持部との間に配置される導通部が設けられた太陽電池パネルの取付構造であって、前記支持部における前記太陽電池パネルを支持する面には、前記太陽電池パネルまたは前記導通部と接触する接触部、および、前記太陽電池パネルまたは前記導通部と離間する非接触部が設けられ、前記導通部には、前記太陽電池パネルに向かって突出する第１突起部、および、前記支持部に向かって突出する第２突起部が設けられ、前記第１突起部は、前記導通部が前記太陽電池パネルおよび前記支持部との間に配置された際に、前記非接触部と対向する位置に設けられていることを特徴とする。
【００１０】
本発明の第２の態様に係る太陽電池パネルの取付方法は、本発明の第１の態様に係る太陽電池パネルの取付構造を用いた取付け方法であって、前記第１突起部が前記非接触部と対向するように前記導通部を間に挟んで前記太陽光電池パネルを、前記支持部における前記太陽電池パネルを支持する面に配置する工程と、前記太陽電池パネルを前記支持部に押し付けることにより、前記第１突起部を前記太陽電池パネルに押し付け、前記第２突起部を前記支持部に押し付ける工程を有することを特徴とする。
【００１１】
本発明の第１の態様に係る太陽電池パネルの取付構造、および、本発明の第２の態様に係る太陽電池パネルの取付け方法によれば、導通部が配置された状態で太陽電池パネルが支持部へ押し付けられると、第１突起部が太陽電池パネルに押し付けられることにより、太陽電池パネルの表面を覆う導電性を阻害する皮膜に傷を付ける。これにより、導通部と太陽電池パネルとの間の導通が図られる。さらに、第１突起部は支持部の非接触部と対向する位置に配置されているため、導通部が配置された状態で太陽電池パネルが支持部へ押し付けられた際に、導通部における第１突起部の周辺は非接触部に突出するように湾曲するため、第１突起部は太陽電池パネルと支持部との間で押しつぶされ難く（座屈しにくく）なる。
【００１２】
その後に、太陽電池パネルを支持部から離間させると、導通部における第１突起部の周辺は、湾曲した状態から平板状に近い状態に戻り、かつ、第１突起部は導通部から突出した状態が保たれやすくなる。そのため、一度、太陽電池パネルを支持部へ押し付けた後に、太陽電池パネルの配置位置を修正等して、再度、支持部へ押しつけを行っても、再び、太陽電池パネルを傷つけ導通を図ることができる。
【００１３】
また、第２突起部も太陽電池パネルが支持部へ押し付けられた際に、支持部へ押し付けられ支持部に傷を付けることにより、導通部と支持部との導通が図られる。そのため、導通部を介して太陽電池パネルと支持部との間の導通を図り易くなる。
【００１４】
上記発明の第１の態様において前記第１突起部は、前記導通部の一部を前記太陽電池パネルに向かって折り曲げて形成されたものであることが好ましい。
このように導通部の一部を太陽電池パネルに向かって折り曲げて第１突起部を形成することにより、第１突起部の形成が容易となる。
【００１５】
上記発明の第１の態様において前記第１突起部は、前記導通部から折り曲げられる角度である折り曲げ角度が４５°を超えて１３５°未満の範囲内であることが好ましい。
上記発明の第１の態様において前記第１突起部は、前記導通部から折り曲げられる角度である折り曲げ角度が６０°を超えて１２０°未満の範囲内であることがさらに好ましい。このように第１突起部が導通部から延びる方向の範囲を限定することにより、太陽電池パネルを支持部に押し付けた際に第１突起部が押しつぶされ難くなる。
【００１６】
上記発明の第１の態様において前記第２突起部は、前記導通部の他の一部を前記支持部に向かって折り曲げて形成されたものであって、前記導通部から折り曲げられる角度である折り曲げ角度が４５°未満であり、前記導通部が前記太陽電池パネルおよび前記支持部との間に配置された際に、前記第２突起部が前記接触部と対向する位置に設けられていることが好ましい。
【００１７】
このように第２突起部を折り曲げて形成することにより、導通部は形成しやすくなる。また、第２突起部は、折り曲げ角度が４５°未満であって、接触部と対向する位置に配置されているため、太陽電池パネルが支持部に押し付けられた際に、第２突起部は支持部を傷つけながら折り曲げ角度が浅くなる。そのため、支持部の導電性を阻害する膜がはがされ、導通部と支持部との間の導通を図ることができる。また、第２突起部は、折り曲げ角度が浅くなりながら支持部に傷を形成するため、第２突起部が座屈して押しつぶされる場合と比較して、導電性を阻害する膜を剥がし易く、導通を図り易い。
【００１８】
上記発明の第１の態様において前記支持部は棒状に形成された垂木であり、前記垂木における前記非接触部は、前記支持部との間に前記太陽電池パネルを挟んで保持する押付部を前記垂木に固定する固定具の端部が係合されるとともに、前記垂木の長手方向に延び前記固定具が相対移動可能とされた溝部であることが好ましい。
【００１９】
このように支持部である垂木に設けられた溝部に、押付部を垂木に固定する固定具を係合させることにより、太陽電池パネルを垂木に固定しやすくなる。さらに、導通部の第１突起部を、溝部に配置させているため、導通部と太陽電池パネルとの間の導通を図り易い状態が確保できる。
【００２０】
上記発明の第１の態様において前記導通部には、前記垂木における前記溝部が開口する前記太陽電池パネルと接する面と隣接する側面と対向して延びるガイド部が設けられていることが好ましい。
【００２１】
このようにガイド部を設けることにより、垂木に対する導通部の相対姿勢を規制することができるため、第１突起部を溝部に対向する位置に保持しやすくなる。つまり、導通部を垂木に対して所望の相対姿勢で配置すると、ガイド部が隣接する側面と対向して配置されることになる。導通部が、垂木に対して所望の相対姿勢以外の他の姿勢を取ろうとしても、ガイド部が隣接する側面と干渉するため、他の相対姿勢を取りにくくなる。
【００２２】
また、ガイド部は、太陽電池パネルを垂木に押し付けても、ガイド部は太陽電池パネルと垂木との間から外部に突出するため、外部からガイド部を視認することができる。その結果、垂木と太陽電池パネルとの間に導通部が配置されているか否かを容易に確認できる。
【発明の効果】
【００２３】
本発明の太陽電池パネルの取付構造、および太陽電池パネルの取付方法によれば、導通部における支持部の非接触部と対向する位置に太陽電池パネルに向かって延びる第１突起部が設けられているため、太陽電池パネルを支持部に繰り返し配置しても、太陽電池パネルと導通部との導通を確保しやすく、太陽電池パネルの接地がより行いやすくなるという効果を奏する。
【図面の簡単な説明】
【００２４】
【図１】本発明の一実施形態に係る太陽電池パネルが取り付けられた架台の摸式的な構成を説明する図である。
【図２】図１における架台の構成および太陽電池パネルの配置などを説明するＡ方向から見た摸式図である。
【図３】図３（ａ）は、太陽電池パネルの取付構造を説明する模式図であり、図３（ｂ）は導通プレートおよび垂木の相対姿勢を説明するＸ−Ｘ’断面視図である。
【図４】図４（ａ）は、導通プレートの構成を説明する正面視図であり、図４（ｂ）は、導通プレートの構成を説明する上面視図である。
【図５】図５（ａ）は、第１突起部の構成を説明する模式図であり、図５（ｂ）は、第２突起部の構成を説明する模式図である。
【図６】図６（ａ）および図６（ｂ）は、垂木に太陽電池パネルを取り付ける工程を説明する模式図である。
【図７】図７（ａ）は、太陽電池パネルと導通プレートとの間の導通を説明する模式図であり、図７（ｂ）は、垂木と導通プレートとの間の導通を説明する模式図である。
【図８】図８（ａ）は、図４の導通プレートの他の実施例を説明する正面視図であり、図８（ｂ）は、その上面視図である。
【発明を実施するための形態】
【００２５】
この発明の一実施形態に係る太陽電池パネルの取付構造、および太陽電池パネルの取付方法について、図１から図８を参照しながら説明する。まず、太陽電池パネル１０が架台２０に取り付けられた全体構成について説明し、その後に、太陽電池パネル１０の取付構造の詳細について説明する。
【００２６】
本実施形態で用いられる太陽電池パネル１０は、図１および図２に示すように、所定の厚さを有する板状の形状を有し、平面視において略長方形の形状を有するものである。また、太陽電池パネル１０としては、単結晶シリコン太陽電池や、多結晶シリコン太陽電池や、薄膜シリコン太陽電池などの公知な各種形式のものを用いることができ、特に限定するものではない。
【００２７】
また、太陽電池パネル１０は、架台２０の上に面状に並んで配置されるものであり、本実施形態では、直交する２つの方向に並んで配置されている例に適用して説明する。架台２０の上に配置された太陽電池パネルは、取付け金具（押付部）４０を用いることで、架台２０に固定されている。
【００２８】
架台２０は、地盤Ｇに設置された基礎２１と、基礎２１から上方へ延びて配置された支柱２２と、支柱２２の上部に固定された梁部２３と、梁部２３に固定された垂木（支持部）３０と、から主に構成されている。
【００２９】
本実施形態では、２本の梁部２３が用いられている。梁部２３は東西方向に延びるように配置されるとともに、南北方向に間隔をあけて配置されている。南側に配置された梁部２３は、北側に配置された梁部２３よりも低い位置に配置されている。
【００３０】
また、本実施形態では、８本の垂木３０が用いられている。垂木３０は、２本の梁部２３と交差する方向（より好ましくは直交する方向）に延びるように配置されているとともに、東西方向に間隔をあけて梁部２３の上側に固定されている。このように配置された垂木３０は、南側の端部が北側の端部よりも低くなるように傾斜している。
【００３１】
基礎２１は、例えば、セメントコンクリートを材料として形成されている。その一方で、支柱２２および梁部２３は、例えば、鋼材などの導電性を有する材料で形成されている。垂木３０は、アルミニウムを主材料とするアルミニウム合金、または、アルミニウム材を材料として形成され、アルマイト処理が施されたものである。
【００３２】
本実施形態では、例えば、１６枚の太陽電池パネル１０が、架台２０の上に梁部２３が延びる方向（以下「東西方向」と表記する。）に４列配置され、垂木３０が延びる方向（以下「南北方向」と表記する。）に４段配置されている。東西方向および南北方向に隣り合う太陽電池パネル１０の間には、所定間隔（例えば２０ｍｍ程度）の隙間（目地）が設けられている。
【００３３】
南北方向に隣り合う太陽電池パネル１０の間と、南北方向の両端部に配列された太陽電池パネル１０の南北方向の端部に（言い換えると、隣に太陽電池パネル１０が配置されない側の端部に）、取付け金具４０が設けられている。この取付け金具４０によって太陽電池パネル１０が架台２０の垂木３０に固定される。
【００３４】
次に、本実施形態の特徴である太陽電池パネル１０の取付構造について図３から図６を参照しながら説明する。南北方向に隣り合う太陽電池パネル１０の取付構造、言い換えると、南北方向に隣り合う太陽電池パネル１０を垂木３０に固定する取付け金具４０を東側から見ると図３（ａ）に示す通りとなる。図３（ａ）において、左側が南となり、右側が北となる。
【００３５】
図３（ａ）に示すように、太陽電池パネル１０の取付構造は、太陽電池パネル１０を下方から支持する垂木３０と、太陽電池パネル１０を垂木に押し付ける取付け金具４０、取付けボルト（固定具）５０およびナット（固定具）５５と、太陽電池パネル１０および垂木３０との間の導電性を確保しやすくする導通プレート（導通部）６０と、から主に構成されている。
【００３６】
太陽電池パネル１０には、パネル本体１１の周囲を覆うフレーム部１２が設けられている。フレーム部１２は、断面がＪ字状またはＵ字状に形成された部材である。本実施形態では、アルマイト処理が施されたアルミニウム合金またはアルミニウム材から形成された例に適用して説明する。フレーム部１２の下部を構成する面は、垂木３０や後述する導通プレート６０などと対向する面であり、フレーム部１２の上部を構成する面は、取付け金具４０により押し付けられる面である。
【００３７】
垂木３０には、太陽電池パネル１０側から見た図３（ｂ）に示すように、太陽電池パネル１０または導通プレート６０と接触する接触面（接触部）３１と、太陽電池パネル１０または導通プレート６０と離間する溝部（非接触部）３２と、が設けられている。
【００３８】
本実施形態では、垂木３０は、アルマイト処理が施されたアルミニウム合金またはアルミニウム材から形成された例に適用して説明する。
なお、フレーム部１２や垂木３０を構成する材料は、上述するアルミニウム合金等の材料であってもよいし、その他の導電性を有する金属材料や、それらを成分に含む合金であって、その表面に導電性を阻害する皮膜（酸化被膜の他にも塗料による皮膜も含む）が形成されたものであればよく、特に限定するものではない。
【００３９】
接触面３１は、溝部３２を間に挟んで、垂木３０が延びる方向にそって形成された面である。溝部３２は、垂木３０が延びる方向にそって形成された凹部であり、その内部に、後述する取付けボルト５０の頭部５１が配置されるものである。
【００４０】
溝部３２に配置された取付けボルト５０は、垂木３０が延びる方向（言い換えると南北方向）へスライド移動が可能である一方で、太陽電池パネル１０側への移動（言い換えると垂木３０から離れる方向、図３（ａ）における上方向）への移動は規制されている。
【００４１】
取付け金具４０には、図３（ａ）に示すように、太陽電池パネル１０を上側から押さえつける上面部４１と、南側に配置された太陽電池パネル１０の側面と対向して垂木３０側に延びる第１側面部４２と、北側に配置された太陽電池パネル１０の側面と対向して垂木３０側に延びる第２側面部４３と、から主に構成されている。
【００４２】
上面部４１と、第１側面部４２と、第２側面部４３とは一体に構成されており、上面部４１から第１側面部４２および第２側面部４３が延びるように構成されている。上面部４１には、取付けボルト５０の軸部５２が挿通される貫通孔（図示せず。）が設けられている。
【００４３】
第１側面部４２および第２側面部４３の間には、取付けボルト５０の軸部５２が配置される空間が形成されている。第２側面部４３は、第１側面部４２と比較すると垂木３０側に向かって長く形成されている。本実施形態では、太陽電池パネル１０を垂木３０に固定した際に、第２側面部４３の下端が導通プレート６０の上面と接触している例に適用して説明する。
【００４４】
取付けボルト５０およびナット５５は、取付け金具４０とともに太陽電池パネル１０の固定に用いられるものであり、公知の形状のボルトおよびナットを用いることができ、その形状を特に限定するものではない。本実施形態では、取付けボルト５０の頭部５１が垂木３０の溝部３２に係合され、軸部５２が上方に向かって延びる姿勢で用いられる。軸部５２は、取付け金具４０における上面部４１の貫通孔に挿通され、突出したその先端部にナット５５およびワッシャ５６が配置される。螺合されたナット５５を締める方向に回転させることにより、取付けボルト５０およびナット５５により取付け金具４０は垂木３０側に向かって押し付けられる。
【００４５】
導通プレート６０は、図３（ａ）および図３（ｂ）に示すように、垂木３０および太陽電池パネル１０の間に配置される略矩形状に形成された板状の部材である。導通プレート６０を形成する材料としては、鋼材などの導電性を有する部材を例示することができる。
【００４６】
導通プレート６０には、図４（ａ）および図４（ｂ）に示すように、太陽電池パネル１０との導通を確保する第１突起部６１と、垂木３０との導通を確保する第２突起部６２と、垂木３０との相対姿勢を定めるガイド部６３と、取付けボルト５０の軸部５２が挿通される貫通孔６４が主に設けられている。
【００４７】
第１突起部６１は、図３（ｂ）に示すように、導通プレート６０を垂木３０に配置した状態において、溝部３２と対応する位置に設けられた突起であって、導通プレート６０のほぼ中央に設けられた貫通孔６４よりも南側の位置に設けられたものである。また、第１突起部６１は、太陽電池パネル１０に向かって端部が尖った形状、例えば三角形状を有するものである。
【００４８】
本実施形態では、第１突起部６１における一対の側辺に相当する部分を導通プレート６０から切り離し、底辺に相当する部分を折り曲げて太陽電池パネル１０に向かって立ち上げたものである例に適用して説明する。そのため、第１突起部６１の貫通孔６４側に隣接した位置には、第１突起部６１と相似形の孔が形成されている。
【００４９】
なお、第１突起部６１に隣接して形成される孔は、上述のように第１突起部６１と相似形の孔であってもよいし、矩形状の孔などのように第１突起部６１とは異なる形状であってもよく、特にその形状を限定するものではない。
【００５０】
第１突起部６１は、図５（ａ）に示すように、導通プレート６０から折り曲げられる角度である折り曲げ角度が４５°を超えて１３５°未満の範囲内に延びるように折り曲げられていることが好ましい。さらには、導通プレート６０から折り曲げられる角度である折り曲げ角度が６０°を超えて１２０°未満の範囲内に延びるように折り曲げられていることがより好ましく、導通プレート６０の面に対して直交方向に延びるように折り曲げられていることがさらに好ましい。
【００５１】
言い換えると、導通プレート６０から垂直に延びる方向を中心に±４５°未満の範囲内に向かって延びるように折り曲げられていることが好ましく、±３０°未満の範囲内に向かって延びるように折り曲げられていることがより好ましく、垂直に延びる方向に折り曲げられていることが更に好ましい。
【００５２】
第２突起部６２は、図３（ｂ）に示すように、導通プレート６０を垂木３０に配置した状態において、接触面３１と対応する位置に設けられた突起であって、導通プレート６０の南側に位置する角部を折り曲げたものである。また、第２突起部６２は、垂木３０に向かって端部が尖った形状、例えば三角形状を有するものである。
【００５３】
第２突起部６２は、図５（ｂ）に示すように、導通プレート６０から４５°程度未満の折り曲げ角度で折り曲げられ、後述するように、太陽電池パネル１０が垂木３０に押し付けられた際に、第２突起部６２が垂木３０の接触面３１に傷を付けられる折り曲げ角度を有していることが好ましい。
【００５４】
なお、本実施形態では、第１突起部６１や第２突起部６２が導通プレート６０を直接折り曲げて形成されたものである例に適用して説明したが、導通プレート６０とは異なる板状の部材を折り曲げて第１突起部６１や第２突起部６２を形成し、当該板状の部材を導通プレート６０に接着等の方法と固定したものであってもよく、第１突起部６１や第２突起部６２の形成方法を特に限定するものではない。
【００５５】
ガイド部６３は、図３（ａ）および図３（ｂ）に示すように、導通プレート６０を垂木３０に配置した状態において、垂木３０における接触面３１に隣接する側面３３と対向して延びる部分である。より具体的には、図４（ａ）および図４（ｂ）に示すように、導通プレート６０における西側および東側の側辺から垂木３０側に折れ曲がり延びる部分である。本実施形態では、当該側辺のうち第２突起部６２が設けられた周辺を除いた部分にガイド部６３が設けられている例に適用して説明する。
【００５６】
貫通孔６４は、導通プレート６０におけるほぼ中央に設けられた貫通孔であり、取付けボルト５０の軸部５２が挿通されるものである。貫通孔６４に軸部５２が挿通されることにより、導通プレート６０と取付けボルト５０との相対位置の関係を定めることができる。
【００５７】
次に、上記の構成からなる太陽電池パネル１０の取付構造における取付け方法について図６を参照しながら説明する。
まず、図６（ａ）に示すように、南側の太陽電池パネル１０が垂木３０の上に配置され、その後に、導通プレート６０が太陽電池パネル１０および垂木３０の間に配置される。この際、導通プレート６０の貫通孔６４には取付けボルト５０の軸部５２が挿通され、導通プレート６０および取付けボルト５０は、北側から溝部３２に沿ってスライド移動される。なお、取付けボルト５０の頭部５１は、図３（ａ）に示すように溝部３２に係合されている。
【００５８】
太陽電池パネル１０および垂木３０の間に配置された導通プレート６０における第１突起部６１は、太陽電池パネル１０のフレーム部１２と当接し、第２突起部６２は垂木３０の接触面３１と当接している。この状態で、取付け金具４０、ナット５５およびワッシャ５６が軸部５２の先端に配置される。
【００５９】
つまり、取付け金具４０の貫通孔に取付けボルト５０の軸部５２の先端が挿通され、突出した端部にナット５５およびワッシャ５６が配置され、ナット５５が螺合される。この際、取付け金具４０は、第１側面部４２が南側の太陽電池パネル１０と対向する姿勢で配置されている。上述の軸部５２に螺合されたナット５５を回転させることにより、取付け金具４０および太陽電池パネル１０には、垂木３０に押し付ける力が働く。
【００６０】
図６（ｂ）に示すように、南側の太陽電池パネル１０を垂木３０に押し付けた後、北側の太陽電池パネル１０が垂木３０の上に配置される。北側の太陽電池パネル１０は、垂木３０の延びる方向に沿ってスライド移動させ、取付け金具４０の第２側面部４３に当接させるように配置される。
【００６１】
北側の太陽電池パネル１０が垂木３０の上に配置されると、北側の太陽電池パネル１０における北側の端部において、上述の導通プレート６０等の配置が繰り返し行われる。太陽電池パネル１０の取付けは、例えば、架台２０の上に太陽電池パネル１０が所定数並べられるまで繰り返される。
【００６２】
次に、太陽電池パネル１０と導通プレート６０との間の導通について図７（ａ）を参照しながら説明し、その後に、垂木３０と導通プレート６０との間の導通について図７（ｂ）を参照しながら説明する。
【００６３】
第１突起部６１は、図７（ａ）に示すように、太陽電池パネル１０が垂木３０に押し付けられると、太陽電池パネル１０のフレーム部１２と当接する。フレーム部１２の表面に形成されたアルマイト処理の皮膜は、第１突起部６１の先端により削り取られる。これにより、フレーム部１２と導通プレート６０とが導通を妨げる皮膜等に遮られることなく直接に接触し、導通が図られる。
【００６４】
さらに、第１突起部６１が太陽電池パネル１０により垂木３０側へ押し付けられることにより、導通プレート６０における第１突起部６１の周辺は、溝部３２の内部へ突出するように変形する。この変形により第１突起部６１は、押しつぶされる（例えば、座屈するなど）ことが抑制される。
【００６５】
太陽電池パネル１０の配置位置を修正する等の理由で、垂木３０に押し付けた太陽電池パネル１０を垂木３０から離間させると、導通プレート６０における第１突起部６１の周辺は、元の平板状の形状、または、平板に近い形状に戻る。この時、第１突起部６１は、導通プレート６０から太陽電池パネル１０に向かって突出した形状を保っている。
【００６６】
その後、再び、垂木３０に太陽電池パネル１０を押し付けると、第１突起部６１はフレーム部１２に当接し、フレーム部１２の表面に形成されたアルマイト処理の皮膜は、再び、第１突起部６１の先端により削り取られる。
【００６７】
第２突起部６２は、図７（ｂ）に示すように、太陽電池パネル１０が垂木３０に押し付けられると、垂木３０の接触面３１と当接する。接触面３１の表面に形成されたアルマイト処理の皮膜は、押し付けられることにより折り曲げ角度が次第に浅くなる第２突起部６２の先端により削り取られる。これにより、垂木３０と導通プレート６０とが導通を妨げる皮膜等に遮られることなく直接に接触し、導通が図られる。
【００６８】
上記の構成の太陽電池パネル１０の取付構造によれば、導通プレート６０が配置された状態で太陽電池パネル１０が垂木３０へ押し付けられると、第１突起部６１が太陽電池パネル１０に押し付けられることにより、太陽電池パネル１０の表面を覆うアルマイト処理により形成された皮膜に傷を付ける。これにより、導通プレート６０と太陽電池パネル１０との間の導通が図られる。さらに、第１突起部６１は垂木３０の溝部３２と対向する位置に配置されているため、導通プレート６０が配置された状態で太陽電池パネル１０が垂木３０へ押し付けられた際に、導通プレート６０における第１突起部６１の周辺は溝部３２に突出するように湾曲するため、第１突起部６１は太陽電池パネル１０と垂木３０との間で押しつぶされ難く（座屈しにくく）なる。
【００６９】
その後に、太陽電池パネル１０を垂木３０から離間させると、導通プレート６０における第１突起部６１の周辺は、湾曲した状態から平板状に近い状態に戻り、かつ、第１突起部６１は導通プレート６０から突出した状態が保たれやすくなる。そのため、一度、太陽電池パネル１０を垂木３０へ押し付けた後に、太陽電池パネル１０の配置位置を修正等して、再度、垂木３０へ押しつけを行っても、再び、太陽電池パネル１０の皮膜を傷つけ導通を図ることができる。
【００７０】
また、第２突起部６２も太陽電池パネル１０が垂木３０へ押し付けられた際に、垂木３０へ押し付けられ垂木３０に傷を付けることにより、導通プレート６０と垂木３０との導通が図られる。そのため、導通プレート６０を介して太陽電池パネル１０と垂木３０との間の導通を図り易くなり、太陽電池パネルの接地をより行いやすくすることができる。
【００７１】
導通プレート６０の一部を太陽電池パネル１０に向かって折り曲げて第１突起部６１を形成することにより、第１突起部６１の形成が容易となる。
第１突起部６１が導通プレート６０から延びる方向の範囲を限定することにより、太陽電池パネル１０を垂木３０に押し付けた際に第１突起部６１が押しつぶされ難くなる。
【００７２】
第２突起部６２を折り曲げて形成することにより、導通プレート６０は形成しやすくなる。また、第２突起部６２は、折り曲げ角度が４５°未満であって、接触面３１と対向する位置に配置されているため、太陽電池パネル１０が垂木３０に押し付けられた際に、第２突起部６２は垂木３０を傷つけながら折り曲げ角度が浅くなる。そのため、垂木３０の導電性を阻害する皮膜がはがされ、導通プレート６０と垂木３０との間の導通を図ることができる。また、第２突起部６２は、折り曲げ角度が浅くなりながら垂木３０に傷を形成するため、第２突起部６２が座屈して押しつぶされる場合と比較して、導電性を阻害する皮膜を剥がし易く、導通を図り易い。
【００７３】
ガイド部６３を設けることにより、垂木３０に対する導通プレート６０の相対姿勢を規制することができるため、第１突起部６１を溝部３２に対向する位置に保持しやすくなる。つまり、導通プレート６０を垂木３０に対して所望の相対姿勢で配置すると、ガイド部６３が隣接する側面３３と対向して配置されることになる。導通プレート６０が、垂木３０に対して所望の相対姿勢以外の他の姿勢を取ろうとしても、ガイド部６３が隣接する側面３３と干渉するため、他の相対姿勢を取りにくくなる。
【００７４】
また、ガイド部６３は、太陽電池パネル１０を垂木に押し付けても、ガイド部６３は太陽電池パネル１０と垂木３０との間から外部に突出するため、外部からガイド部６３を視認することができる。その結果、垂木３０と太陽電池パネル１０との間に導通プレート６０が配置されているか否かを容易に確認できる。
【００７５】
なお、上述の実施形態のように、導通プレート６０のガイド部６３を、垂木３０の側面３３と対向する折り曲げ部材としてもよいし、図８（ａ）および図８（ｂ）に示すように、導通プレート６０における溝部３２と対向する領域を、溝部３２に向かって湾曲して突出する形状に形成してもよく、特に限定するものではない。この場合、湾曲するガイド部６３が溝部３２に嵌め合わされることにより、垂木３０と導通プレート６０との相対姿勢が定められる。
【００７６】
図８（ａ）および図８（ｂ）に示す例では、ガイド部６３の両隣が、太陽電池パネル１０に向かって湾曲して突出する形状に形成されている。この形状にすることにより、北側の太陽電池パネル１０を配置する際に、取付け金具４０と湾曲して突出形状との間で太陽電池パネル１０が挟まれ、太陽電池パネル１０が保持されやすくなる。
【符号の説明】
【００７７】
１０…太陽電池パネル、３０…垂木（支持部）、３１…接触面（接触部）、３２…溝部（非接触部）、３３…側面、４０…取付け金具（押付部）、５０…取付けボルト（固定具）、５５…ナット（固定具）、６０…導通プレート（導通部）、６１…第１突起部、６２…第２突起部、６３…ガイド部
【図１】
0006386303.tif 000002
【図２】
0006386303.tif 000003
【図３】
0006386303.tif 000004
【図４】
0006386303.tif 000005
【図５】
0006386303.tif 000006
【図６】
0006386303.tif 000007
【図７】
0006386303.tif 000008
【図８】
0006386303.tif 000009